(57)【要約】  トランザクションを開始する方法である。通信装置（１０２）は、複数のＰＯＳ装置（１０４、１０６および１０８）とネットワーク（１１１）を介して通信し、磁石（１０５、１０７）の磁場（１０５ａ、１０７ａ）を感知する。通信装置（１０２）は、停止指令（１１２）を第１の装置へ送って磁石（１０５）の磁場（１０５ａ）を停止し、かつ、磁場がまだ存在するかどうかを確認する。磁場が存在しない場合、通信装置（１０２）は、通信装置（１０２）が第１の装置（１０４）の磁場（１０５）に近接していることを判定し、第１の装置（１０４）とのトランザクションを開始する。磁場がまだ存在すれば、上記装置は、磁場が停止するまで他のＰＯＳ装置に停止指令を送り、どのＰＯＳ装置が通信装置のそばにあるのかを特定する。【選択図】図１
2017509948.tif 000002
【特許請求の範囲】
【請求項１】
トランザクションの開始方法であって、
ネットワーク（１１１）を介して第１の装置（１０４）および第２の装置（１０６）と通信する通信装置（１０２）を設けることと、
前記通信装置（１０２）が、前記第１の装置（１０４）または前記第２の装置（１０６）に近接した状態で磁石（１０５、１０７）の磁場（１０５ａ、１０７ａ）を感知することと、
前記通信装置（１０２）が、前記第１の装置に停止指令（１１２）を送り、前記磁石（１０５）の前記磁場（１０５ａ）を停止することと、
前記通信装置（１０２）が、磁場が存在するかどうかを判定することと、
磁場が存在しない場合、前記通信装置（１０２）が、前記通信装置（１０２）は前記第１の装置（１０４）の磁石（１０５）と近接していると判定して、前記第１の装置（１０４）とのトランザクションを開始することと、
磁場が存在する場合、前記通信装置（１０２）が、前記第２の装置（１０６）に停止指令（１１４ａ）を送り、前記磁石（１０７）の前記磁場（１０７ａ）を停止することと、
磁場が存在しない場合、前記通信装置（１０２）が、前記通信装置（１０２）は前記第２の装置（１０６）の前記磁石（１０７）と近接していると判定し、前記第２の装置（１０６）とのトランザクションを開始することとを含む、方法。
【請求項２】
前記方法は、磁場を感知するセンサ（１１０）を有するスマートフォン（１０２）を用いるステップをさらに含む、請求項１記載の方法。
【請求項３】
前記方法は、前記スマートフォン（１０２）が、信号を介して、前記ネットワーク（１１１）において複数の販売時点情報管理（ＰＯＳ）装置（１０４、１０６および１０８）を感知するステップをさらに含む、請求項２記載の方法。
【請求項４】
前記方法は、前記スマートフォン（１０２）が、前記ＰＯＳ装置（１０４、１０６および１０８）からの光または振動を感知するステップをさらに含む、請求項２記載の方法。
【請求項５】
前記方法は、前記スマートフォン（１０２）が、ＰＯＳ装置（１０４）のマイクロプロセッサ（１２４）へ停止指令（１１２ａ）を送るステップをさらに含む、請求項２記載の方法。
【請求項６】
前記方法は、前記停止指令（１１２ａ）を受信すると、前記マイクロプロセッサ（１２４）が前記磁石（１０５）を停止するステップをさらに含む、請求項５記載の方法。
【請求項７】
前記方法は、前記通信装置（１０２）が、前記ＰＯＳ装置（１０４、１０６および１０８）から受信した信号の強度に基づいて、ＰＯＳ装置（１０４、１０６および１０８）を順位付けするステップをさらに含む、請求項１記載の方法。
【請求項８】
前記方法は、アプリケーションプログラム（１３０）を備えた前記通信装置（１０２）を設けて、該プログラム（１３０）を開始して前記ＰＯＳ装置（１０４、１０６および１０８）を感知するステップをさらに含む、請求項３記載の方法。
【請求項９】
前記方法は、すべてのＰＯＳ装置へ異なるオフタイムパラメータを備えた停止指令を送り、前記ＰＯＳ装置の前記磁場の前記オフタイムに基づいて、前記ＰＯＳ装置の身元を判定することをさらに含む、請求項１記載の方法。
【発明の詳細な説明】
【技術分野】
【０００１】
本発明は、スマートフォンなどの通信装置と、スマートフォンでトランザクションを実行するトランザクション装置または受信装置との間におけるトランザクションを開始する方法に関する。
【背景技術】
【０００２】
携帯電話での装置への支払いおよびアクセスは、開始または活性化されることとなるＰＯＳ（販売時点情報管理（Point-Of-Sale））装置、ロック装置または任意の装置と携帯電話との間でのトランザクションの開始が必要である。ＰＯＳ装置の識別番号は、ユーザによってまたはバーコード／ＱＲコード（登録商標）のスキャンによってまたは近距離無線通信（ＮＦＣ）システムを用いることによって手動で携帯電話に入力可能である。現行の技術にはいくつかの欠点がある。手動入力は不便でもあり時間も要する。スキャンは、相対的に速いが受信装置またはトランザクション装置に対して携帯電話を向けて位置あわせをする必要がある。ＮＦＣは、もっとも広く普及している携帯電話および他の同様の装置に実装されていないプロトコルまたは標準であるために、広く用いられていない。
【０００３】
携帯電話またはスマートフォンなどの通信装置とスマートフォンでトランザクションを開始するトランザクション装置／受信装置との間のトランザクションを開始するための、速やかで、便利で、信頼性があり、費用対効果が高い方法が要望されている。
【発明の概要】
【０００４】
本発明の方法は、上記概説した課題の解決法を提供する。より詳しくは、本発明の方法は、トランザクションの開始に関する。上記方法は、ネットワークを介して第１の装置および第２の装置と通信する通信装置を設けるステップを含む。上記通信装置は、上記第１の装置または上記第２の装置に近接した状態で第１の磁石もしくは第２の磁石または電磁石コイルの磁場を感知する。上記通信装置は、上記第１の装置に停止指令を送り、上記第１の装置の電磁石の上記磁場を停止する。上記通信装置は、磁場がまだ存在するかどうかを判定する。上記磁場が消えていれば、上記通信装置が、上記通信装置は上記第１の装置の上記電磁石と近接していると判定して、上記第１の装置とのトランザクションを開始する。第１の停止指令の送信にもかかわらず磁場がまだ存在する場合、上記通信装置が、上記第２の装置に第２の停止指令を送り、上記第２の装置の第２の電磁石の上記磁場を停止する。磁場が消えれば、上記通信装置が、上記通信装置は上記第２の装置の上記第２の磁石と近接していると判定し、上記第２の装置とのトランザクションを開始する。
【０００５】
上記方法は、磁場を感知するセンサを有するスマートフォンを用いるステップをさらに含む。
【０００６】
上記方法は、上記スマートフォンが、信号を介して、上記ネットワークにおいて１つまたは複数の販売時点情報管理（ＰＯＳ）装置と関連づけられるステップをさらに含む。
【０００７】
上記方法は、上記スマートフォンが、上記ＰＯＳ装置からの光または振動を感知するステップをさらに含む。
【０００８】
上記方法は、上記スマートフォンが、第１のＰＯＳ装置のマイクロプロセッサへ停止指令を送るステップをさらに含む。
【０００９】
上記方法は、上記停止指令を受信すると、上記第１のＰＯＳ装置の上記マイクロプロセッサが上記第１の磁石を停止するステップをさらに含む。
【００１０】
上記方法は、上記通信装置が、上記ＰＯＳ装置から受信した信号の強度に基づいて、ＰＯＳ装置を順位付けするステップをさらに含む。
【００１１】
上記方法は、アプリケーションプログラムを備えた前記通信装置を設けて、該プログラムを開始して上記ＰＯＳ装置を感知するステップをさらに含む。
【００１２】
上記方法は、すべてのＰＯＳ装置へ異なるオフタイムパラメータを備えた停止指令を送り、上記ＰＯＳ装置の上記磁場の上記オフタイムに基づいて、上記ＰＯＳ装置の身元を判定するステップをさらに含む。
【図面の簡単な説明】
【００１３】
【図１】図１は、いくつかのＰＯＳ装置と通信するスマートフォンの概略図である。
【図２】図２は、正しいＰＯＳを特定するステップを示す概略図である。
【図３】図３は、サーバと通信するスマートフォンおよびＰＯＳの概略図である。
【発明を実施するための形態】
【００１４】
図１を参照すると、通信システム１００は、複数のＰＯＳ（販売時点情報管理）装置１０４、１０６および１０８との無線通信に用いられうるスマートフォンまたは任意の装置などの通信装置１０２を有する。以下に詳細を記載するように、本発明の重要な特徴のひとつは、スマートフォン１０２に、正しいＰＯＳ装置のそばにあるかを特定および判定させることが可能ということである。通常、システム１００は、磁気センサによって感知されるような磁場の効力範囲よりもＢｌｕｅｔｏｏｔｈ（登録商標）またはＷｉ−Ｆｉ信号の効力範囲の方がずっと長いことを活用する。本発明において用いられる磁場は、好ましくは一定であるが、変動する磁場もまた用いられうる。磁気は、直流または交流によって生成されうる。ＰＯＳ装置１０４、１０６、１０８は、例えば、店舗にて購買を行う際に、スマートフォンのユーザがスマートフォンを用いるといったような、ある種のトランザクションに適用される、またはシステムの活性化に用いられる任意の好適な装置であってよい。装置１０４、１０６および１０８はまた、例えばドアの錠のような、ロック装置でありうる。
【００１５】
ここでは、説明用の例としてＰＯＳ装置を用いる。好ましくは、ＰＯＳ装置は、店舗のキャッシュマシンに関連付けられるコンピュータシステムなどの他のコンピュータシステム１０３と通信チャネル１１８、１２０および１２２を介して通信する。利用しうる好適な通信装置の説明用の例として、単にスマートフォン１０２を用いるものであり、ＰＯＳ装置または任意のトランザクション装置／活性化装置と通信可能な任意の通信装置を利用してよいことが理解されるであろう。スマートフォン１０２は、Ｂｌｕｅｔｏｏｔｈ（登録商標）、Ｗｉ−Ｆｉまたはその他の好適な通信ネットワークを含む無線信号などのローカル無線ネットワーク１１１の直接通信信号１１２、１１４および１１６を介して、ＰＯＳ装置１０４、１０６および１０８を感知または検出する。より詳細には、スマートフォン１０２は、ユーザインタフェースを提供し、かつ、ローカルネットワーク１１１を介してＰＯＳ装置１０４、１０６および１０８と通信する内蔵のアプリケーションプログラム１３０を有する。例えば店舗内のＰＯＳ装置が置かれているような直近領域で、スマートフォン１０２がＰＯＳ装置のみを検出するように、通信システムは、例えば１０メートル以内の短距離システムであることが好ましい。好ましくは、スマートフォン１０２は、ＰＯＳ装置１０４、１０６および１０８の内部にそれぞれ配置される磁石または電磁石コイル１０５、１０７および１０９の磁場１０５ａ、１０７ａおよび１０９ａなどである磁場を感知する磁気センサ１１０を有する。スマートフォン１０２はまた、磁場の代わりに光および振動を感知する近接検知に用いられるセンサなどの他の種類のセンサを有することが可能である。より詳細には、ＰＯＳ装置はマイクロプロセッサ（ＭＰ）１２４、１２６および１２８をそれぞれ有し、ローカル無線ネットワークを介してスマートフォン１０２と通信し、通信チャネル１１８、１２０および１２２を介してそれに接続されるＰＯＳ装置１０４、１０６および１０８とコンピュータシステム１０３との間に流れる情報を制御する。マイクロプロセッサ１２４、１２６および１２８はまた、ＰＯＳ装置周辺の磁場１０５ａ、１０７ａおよび１０９ａを生成し、かつ、磁気センサ１１０によって感知されるものである電磁石コイル１０５、１０７および１０９の活性化をそれぞれ制御する。停止指令を受信すると、各マイクロプロセッサは特定のＰＯＳ装置の電磁石コイルを停止しうる。
【００１６】
例えば店舗における顧客であるユーザは、スマートフォン１０２のアプリケーションプログラム１３０を開始することにより、購買またはアクセスのトランザクションを開始する。コイル１０５からの磁場１０５ａをセンサ１１０が感知する範囲はほんの２〜３センチメートルであるため、スマートフォン１０２を、例えばＰＯＳ装置１０４であるＰＯＳ装置のうちのひとつのそばに翳す。最大範囲は、２〜３センチメートルより長いことがあるが、ネットワーク１１１内における信号の最大範囲よりも実質的に短くすべきである。磁場１０５ａをセンサ１１０が感知し、アプリケーションプログラム１３０がスマートフォン１０２はＰＯＳ装置の近くにあるが、磁場がどのＰＯＳ装置に属するものであるかは不明という結論を下すが、それは例えば、Ｂｌｕｅｔｏｏｔｈ（登録商標）を用いる場合であれば通常の最大範囲である約１０メートル以内にそれらを配置する場合でも、ネットワーク１１１を介して、アプリケーションプログラム１３０が１つ以上のＰＯＳ装置、例えばＰＯＳ装置１０６および１０８などに潜在的に無線接続されうるからである。スマートフォン１０２は、センサ１１０がどの磁場を感知しているか、すなわちどのＰＯＳ装置がスマートフォンのそばにあるか、すなわちそばにあるのはＰＯＳ装置１０４、１０６または１０８のいずれであるかを選別する必要がある。本発明の重要な特徴は、センサ１１０はどの磁場を感知しているか、すなわちセンサ１１０が感知した磁場を生成しているのはどのＰＯＳ装置であるかを判定することができるまで、一度につき１台のＰＯＳ装置の磁場を順に停止していくことによって、磁場を感知されているＰＯＳ装置からアプリケーションプログラム１３０が選別することである。より詳細には、アプリケーションプログラム１３０は、ネットワーク１１１を介して、停止指令１１２ａなどの通信信号１１２をＰＯＳ装置１０４に送信し、電磁石コイル１０５への電力を停止しうる。これは、例えば、電磁石コイル１０５に電気的に接続されるトランジスタまたはスイッチを制御するマイクロプロセッサ１２４を用いて行われうる。プログラム１３０は、スマートフォン１０２が通信状態にある３つのＰＯＳ装置１０４、１０６および１０８の中でＰＯＳ装置１０４から受信した通信信号１１２が最も強いことから、はじめにコイル１０５を停止することを試みるように設計されうる。すなわち、プログラム１３０は、ネットワーク１１１を介してＰＯＳ装置から受信した信号の強度に基づいてＰＯＳ装置を順位付けし、ＰＯＳ装置の順位リストを作成しうる。これによって、正しいＰＯＳの発見にかかる時間を軽減可能である。ＰＯＳ装置の順位付けには、他の判定基準もまた用いられうる。停止指令１１２とともに磁場１０５ａが消失すれば、近接状態にある磁場１０５ａと関連するＰＯＳ装置、すなわちＰＯＳ装置１０４が発見および特定され、購買／アクセスのトランザクションの開始が可能となる。センサ１１０は、それぞれＰＯＳ装置１０６、１０８と関連するコイル１０７および１０９によって生成する磁場１０７ａおよび１０９ａを、それらが遠すぎることから感知ができないため、アプリケーションプログラム１３０が、スマートフォン１０２はＰＯＳ装置１０４のそばにあるという結論を下すことができる。コイル１０５への電力は停止しているが、センサ１１０がさらに磁場を感知する場合は、スマートフォン１０２がコイル１０７または１０９などの他のコイルの近くにあることを意味する。するとプログラム１３０は、他の停止指令（停止指令１１４ａまたは指令１１６ａなど）を送り、例えばＰＯＳ装置１０６またはＰＯＳ装置１０８のそれぞれなどであるネットワーク１１１内で２番目に強い通信信号を発するＰＯＳ装置である他のＰＯＳ装置のコイルによって生成される磁場を停止する。どのＰＯＳ装置がスマートフォン１０２のそばにあるかが判定されると、トランザクション開始のときとなり、Ｂｌｕｅｔｏｏｔｈ（登録商標）またはＷｉ−Ｆｉなどの通信信号がネットワーク１１１を介してスマートフォン１０２およびＰＯＳ装置間に送られるようになり、アイテムの購買などのトランザクションを開始し、実行し、完了する。
【００１７】
停止指令にオフタイムパラメータを追加することにより、ＰＯＳの検出を高めることもまた可能である。例えば、ＰＯＳ装置１０４などのＰＯＳ装置に送る停止指令に１００ｍｓを加えてよく、それによりマイクロプロセッサはコイル１０５が生成した磁場を１００ｍｓ間停止する。各ＰＯＳ装置の特定をさらに向上するように、ＰＯＳ装置ごとに異なる停止時間が設定されうる。それによりオフタイムがＰＯＳ装置に対して「指紋」のような役割をするため、スマートフォンはその近くにあるＰＯＳ装置を特定することができる。
【００１８】
そのため、範囲内のすべてのＰＯＳへ異なるオフタイムパラメータを備えた停止指令を同時に送り、検出した磁場の停止時間によってスマートフォン１０２の近くにあるＰＯＳを特定することが可能である。例えば、３つのＰＯＳ装置１０４、１０６および１０８が範囲内にあり、ローカル無線ネットワークを介してスマートフォン１０２に接続されている。スマートフォンは、例えばＰＯＳ１０４に５０ｍｓ、ＰＯＳ１０６に１００ｍｓおよびＰＯＳ１０８に１５０ｍｓとして異なるオフタイムパラメータを備えた停止指令を各ＰＯＳ装置に同時に送る。ＰＯＳ装置１０４内のマイクロプロセッサ１２４は磁石１０５を５０ｍｓ間停止し、ＰＯＳ装置１０６内のマイクロプロセッサ１２６は磁石１０７を１００ｍｓ間停止し、ＰＯＳ装置１０８内のマイクロプロセッサ１２８は磁石１０９を１５０ｍｓ間停止する。スマートフォン１０２が、例えばＰＯＳ１０６の近くにある場合では、１００ｍｓ間の磁場の消失が感知されることとなり、それによりＰＯＳ１０６が近くにあるという結論が下される。すなわち、スマートフォン１０２がどのＰＯＳ装置の近くにあるかの特定に、磁場の停止時間の長さを用いることが可能である。例えば多数の短パルスによって、上記パルス時間以外の手段によって磁場の身元を示すこともまた可能である。
【００１９】
ローカルネットワーク１１１を介して通信することの重要な利益のひとつは、例えばスマートフォン１０２内のＳＩＭカードを備えたＧＳＭ（登録商標）モデムを用いることで、それがスマートフォン１０２およびＰＯＳ装置の両者をインターネットに接続する費用および手間を不要とするということである。しかしながら、必要であれば、ＰＯＳ装置は（有線または無線で）インターネットに接続可能で、インターネットを介してスマートフォンと通信しうるということを明示しておく。最も近い範囲のＰＯＳ装置を、サーバで記憶されるすべてのＰＯＳ装置の地理的な位置によっても判定しうるものであり、特定された位置は、例えばＧＰＳまたはその他のモバイルネットワーク測位システムによって検出されるようなスマートフォン１０２の地理的な位置と比較される。
【００２０】
図２は、スマートフォンに関して正しいＰＯＳ装置を発見するために必要なステップを示す。スタートステップ１４８において、ユーザがアプリケーションプログラム１３０を開始するか、または自動的にアプリケーションプログラム１３０が開始されうる。続くステップ１５０において、スマートフォン１０２は、例えばＢｌｕｅｔｏｏｔｈ（登録商標）またはＷｉ−Ｆｉにより、スマートフォン１０２から例えば１０メートルの範囲内に位置するＰＯＳ装置であるような範囲内のすべてのＰＯＳ装置に接続する。
【００２１】
好ましくは、スマートフォン１０２は、信号強度またはＰＯＳ装置の地理的な位置のようなその他の好適な判定基準に基づいて、ＰＯＳ装置１０４、１０６および１０８からそれぞれ受信した通信信号１１２、１１４および１１６を降順に並べ換えし、できるだけ素早くトランザクションを開始可能であるように、プログラム１３０が一回で正しいＰＯＳ装置の磁気を停止する可能性を高め、検証処理の速度を上げる。判定ステップ１５２において、その後スマートフォン１０２は、磁場が存在するかどうかを判定する。磁場を感知する範囲が例えば１０メートルであるローカル無線ネットワークの範囲よりはるかに短いため、これはスマートフォン１０２をＰＯＳ装置のそばに移動することによってなされうる。上に示したように、センサ１１０によって感知可能な磁場の最も長い範囲は、ＰＯＳ装置から２〜３センチメートルでありうる。センサ１１０が磁場を検出すると、それによりスマートフォン１０２は、停止ステップ１５４において、例えば遮断信号１１２ａを送ってセンサ１１０により感知された電磁場を生成しているコイルについての供給電力を遮断するなどして、指令信号を送って磁場を停止する。判定ステップ１５６において、その後スマートフォン１０２は、最上位に順位付けされたＰＯＳ装置のマイクロプロセッサに指令を送り、ＰＯＳ装置の電磁石コイルの磁場を停止しているにもかかわらず、磁場の存在がまだあるかどうかを判定する。磁場の存在がまだある場合、スマートフォンは、スマートフォン１０２の直近のＰＯＳ装置よりもさらに遠いＰＯＳ装置の磁場を停止していたことを意味する。上に示したように、このことは、停止指令１１２ａの範囲が磁場を感知する範囲よりも長いことによりなされうる。停止ステップ１５８において、スマートフォン１０２は、ＰＯＳ装置１０６に停止指令１１４ａを送るなどして、リストで次点のＰＯＳ装置の磁場を停止する。判定ステップ１６０において、スマートフォン１０２は磁場がまだ存在するかどうかを判定する。磁場がまだ存在する場合、スマートフォン１０２は、例えばＰＯＳ装置１０８に停止指令１１６ａを送るなどして、リストで次のＰＯＳ装置に停止指令を送る。これは、スマートフォン１０２に近いＰＯＳ装置の磁場が停止するまで継続する。磁場がまだ存在する場合、スマートフォン１０２は、リスト終了ステップ１６２において、リストの終わりに到達したかどうかを判定する。リストの終わりに到達すると、スマートフォン１０２は範囲内のより多くのＰＯＳ装置との接続を試みる。磁場が存在しない場合、開始ステップ１６４において、ＰＯＳ装置が発見されてトランザクションを開始または活性化することをスマートフォン１０２が決定する。
【００２２】
図３は、図１のコンピュータシステム１０３に関連付けられうるサーバ１７０と通信するスマートフォン１０２およびＰＯＳ装置１０４の概略図である。スマートフォン１０２は、ローカルネットワーク１１１を介してＰＯＳ装置１０４と通信しうる。スマートフォン１０２およびＰＯＳ装置１０４は、インターネットなどのネットワークの信号１７２および１７４をそれぞれ介してサーバ１７０と通信する。このことは、スマートフォン１０２が、直接またはネットワーク１１１とＰＯＳ装置１０４のインターネット接続とを介してのいずれかでインターネットに接続されうるものであり、またはその逆もあることを意味する。これによりシステムの信頼性が向上し、モバイルインターネット接続と、ＰＯＳ装置１０４および通信システム１０３のインターネット接続とが同等でない場合に特に有用である。ＰＯＳ装置１０４は、スマートフォン１０２のインターネット接続を介して、すなわちネットワーク１１１を介して、インターネットに接続することもまた可能である。ローカルネットワーク１１１を介して、さらにスマートフォン１０２のインターネット接続を介してＰＯＳ装置１０４をインターネットと接続させることによって、両方の費用節約、サービスの信頼性およびトランザクション速度を達成することが可能である。より高い冗長度の達成に役立つインターネット接続を、自動的に選択および使用するシステムを有することもまた可能となる。
【００２３】
接続は、特定の運用に応じて異なる。例えば、何度もインターネットに接続される遠隔管理の自動販売機を維持するためには、モデムおよびＳＩＭカードが必要である。これは、ハードウェアの投資に関する費用だけでなくインストールおよび動作に関する費用に関与し、サービス中断のリスクを増す。自動販売機を、例えば、スマートフォン１０２のユーザのインターネット接続へのＢｌｕｅｔｏｏｔｈ（登録商標）／Ｗｉ−Ｆｉネットワーク１１１を介してトランザクションサーバ１７０と通信させれば、費用が削減され、かつ、信頼性が向上する。小売店および公共交通機関の運用に関して言えば、カード決済の処理のために信頼できるブロードバンド接続を通常備えているため、課題はインターネットに接続される店舗の維持を目指すことに関するとは限らない。代わりに、スマートフォン１０２のインターネットサービスプロバイダのサービスが乏しいまたは一時的にダウンするといったおそれがあるため、課題のひとつは、スマートフォン１０２が信頼性のあるインターネット接続を有することとなる。小売店および公共交通機関の運用においては、ユーザの高いスループットを確実にするために、トランザクション速度がしばしば最重要となる。ネットワーク１１１のＷｉ−ＦｉのＢｌｕｅｔｏｏｔｈ（登録商標）を介してスマートフォン１０２を接続することによって、信頼性があり予測可能なトランザクション時間を達成する。ホテル、コテージのレンタルおよび公共交通機関に関する運用においては、バス停やレンタルコテージが、インターネットプロバイダのサービスが乏しいエリア内にあることがあるため、ＰＯＳ装置もスマートフォンもインターネットへの接続を保障可能でないことが課題である。この場合、スマートフォン１０２がサービス区域内にあるときに、期限付きアクセスコードが伝えられ、その後ネットワーク１１１を介してＰＯＳ装置に伝送されてアクセスを提供しうる。スマートフォンがインターネットのサービスエリアに再び入ると、ＰＯＳ装置からアクセス時間、ステータスに関するリポートがサーバ１７０に送られうる。
【００２４】
Ｂｌｕｅｔｏｏｔｈ（登録商標）接続などのネットワーク１１１における接続およびＰＯＳ装置またはロックの磁場の感知は運用に応じて異なる一連の順序でなされうる。考えうる一連の順序のひとつは、上記したように、範囲内にある場合に、まずスマートフォン１０２とＰＯＳ装置とをＢｌｕｅｔｏｏｔｈ（登録商標）を介して接続する。スマートフォン１０２は、ＰＯＳ装置が生成した磁場を感知して、その後Ｂｌｕｅｔｏｏｔｈ（登録商標）を介して、すなわちネットワーク１１１を介して停止指令を一度に１台ずつ各ＰＯＳ装置に送って磁場の切り替えを行うものであり、停止指令に伴って磁場が消失するまで行う。考えうる他の一連の順序は、ＰＯＳ装置が生成した磁場をスマートフォン１０２およびＰＯＳ装置が感知し、その後Ｂｌｕｅｔｏｏｔｈ（登録商標）を介して、すなわちネットワーク１１１を介して範囲内にあるＰＯＳ装置に直接接続する。スマートフォンは、Ｂｌｕｅｔｏｏｔｈ（登録商標）を介して一度に１台ずつ各ＰＯＳ装置へ停止指令を生成して磁場を停止するものであり、停止指令に伴って磁場が消失するまで行った。第３の考えうる一連の順序のとしては、電池式ＰＯＳ装置が用いられている場合、コイルによる磁場の生成は通常停止されて電池を維持する。ＰＯＳ装置内の近接センサが近くの物体、例えばスマートフォン１０２の存在を感知すると、磁場（およびＢｌｕｅｔｏｏｔｈ（登録商標）  ＩＣ）がオン状態となる。その後続く手順は、上記した２番目の一連の順序の通りである。
【００２５】
好ましい構成および実施形態に基づいて本発明を記載したが、以下の請求項の真意および範囲から逸脱することなく、それに対してある置換および変更がなされうることを理解されたい。
【図１】
2017509948.tif 000003
【図２】
2017509948.tif 000004
【図３】
2017509948.tif 000005
【国際調査報告】
2017509948.tif 000006